【手続補正書】
【提出日】平成19年6月27日(2007.6.27)
【手続補正１】
【補正対象書類名】明細書
【補正対象項目名】特許請求の範囲
【補正方法】変更
【補正の内容】
【特許請求の範囲】
【請求項１】  密閉容器内が低圧圧力雰囲気である低圧シェル型コンプレッサと、前記コンプレッサより吐出された冷媒を凝縮するコンデンサと、前記コンデンサにより凝縮された冷媒を減圧するキャピラリチューブと、前記キャピラリチューブにより減圧された冷媒を蒸発させるエバポレータと、を順次接続して冷凍サイクルを構成した冷蔵庫において、前記コンデンサの出口から前記エバポレータの入口までの間の冷媒流路中に設けられて前記冷媒流路の開閉を行う開閉弁と、前記コンプレッサの運転中は前記開閉弁を開放し、前記コンプレッサの停止中には前記開閉弁を閉じるように制御する開閉弁制御装置と、を備え、前記開閉弁制御装置は、前記コンプレッサが少なくとも１度以上起動に失敗した場合に、前記開閉弁を開放するように制御することを特徴とする冷蔵庫。
【請求項２】  開閉弁を、コンデンサとキャピラリチューブを接続する冷媒配管中に設けたことを特徴とする請求項１に記載の冷蔵庫。
【請求項３】  開閉弁を、キャピラリチューブとエバポレータとを接続する冷媒配管中に設けたことを特徴とする請求項１に記載の冷蔵庫。
【請求項４】  冷蔵庫の負荷を検出する検出手段と、前記検出手段からの検出値に基づいて前記開閉弁を開閉する制御を行う開閉弁制御装置と、を備えたことを特徴とする請求項１乃至請求項３のうちの少なくとも１項に記載の冷蔵庫。
【請求項５】  冷蔵庫の負荷を検出する検出手段として、冷蔵庫外の温度を検出する外気温度検出センサを備えたことを特徴とする請求項１乃至請求項４のうちの少なくとも１項に記載の冷蔵庫。
【請求項６】  冷蔵庫の負荷を検出する検出手段として、冷凍サイクルの凝縮圧力を検出する圧力センサを備えたことを特徴とする請求項１乃至請求項５のうちの少なくとも１項に記載の冷蔵庫。
【請求項７】  冷蔵庫の負荷を検出する検出手段として、冷凍サイクルの蒸発圧力を検出する圧力センサを備えたことを特徴とする請求項１乃至請求項６のうちの少なくとも１項に記載の冷蔵庫。
【請求項８】  冷蔵庫の負荷を検出する検出手段として、冷蔵庫の扉の開閉を検出する扉開閉検出センサを備えたことを特徴とする請求項１乃至請求項７のうちの少なくとも１項に記載の冷蔵庫。
【請求項９】    密閉容器内が低圧圧力雰囲気である低圧シェル型コンプレッサと、前記コンプレッサより吐出された冷媒を凝縮するコンデンサと、前記コンデンサにより凝縮された冷媒を減圧するキャピラリチューブと、前記キャピラリチューブにより減圧された冷媒を蒸発させるエバポレータと、を順次接続して冷凍サイクルを構成した冷蔵庫において、前記コンデンサの出口から前記エバポレータの入口までの間の冷媒流路中に設けられて前記冷媒流路の開閉を行う開閉弁と、前記冷蔵庫の負荷を検出する検出手段と、前記検出手段からの検出値に基づいて前記開閉弁を開閉する制御を行う開閉弁制御装置と、を備え、前記冷蔵庫の負荷を検出する検出手段として、冷蔵庫外の温度を検出する外気温度検出センサを備えたことを特徴とする冷蔵庫。
【請求項１０】    前記検出手段の検出する検出温度が予め記憶させている設定値よりも大きい場合には、前記コンプレッサが停止中であったに開閉弁を開放すようにしたことを特徴とする請求項９に記載の冷蔵庫。
【請求項１１】    前記検出手段として、前記コンプレッサの入口側の圧力と前記コンプレッサの出口側の圧力との圧力差を使用し、前記検出した圧力差が予め記憶させている設定値よりも大きい場合には、前記コンプレッサが停止中であったに開閉弁を開放すようにしたことを特徴とする請求項９または請求項１０に記載の冷蔵庫。
【請求項１２】    前記開閉弁制御装置は、前記コンプレッサが少なくとも１度以上起動に失敗した場合に、前記開閉弁を開放するように制御することを特徴とする請求項９乃至請求項１１のいずれかに記載の冷蔵庫。
【手続補正２】
【補正対象書類名】明細書
【補正対象項目名】００４７
【補正方法】変更
【補正の内容】
【００４７】
【発明の効果】
本発明の冷蔵庫は、密閉容器内が低圧圧力雰囲気である低圧シェル型コンプレッサと、コンプレッサより吐出された冷媒を凝縮するコンデンサと、コンデンサにより凝縮された冷媒を減圧するキャピラリチューブと、キャピラリチューブにより減圧された冷媒を蒸発させるエバポレータと、を順次接続して冷凍サイクルを構成した冷蔵庫において、コンデンサの出口からエバポレータの入口までの間の冷媒流路中に設けられて冷媒流路の開閉を行う開閉弁と、コンプレッサの運転中は開閉弁を開放し、コンプレッサの停止中には開閉弁を閉じるように制御する開閉弁制御装置と、を備え、開閉弁制御装置は、コンプレッサが少なくとも１度以上起動に失敗した場合に、開閉弁を開放するように制御するので、コンプレッサが起動に失敗しても、開閉弁を開放してコンプレッサの入口と出口の圧力差を小さくすることができ、起動に失敗することなく再起動できる。
【手続補正３】
【補正対象書類名】明細書
【補正対象項目名】００４８
【補正方法】変更
【補正の内容】
【００４８】
本発明の冷蔵庫は、開閉弁を、コンデンサとキャピラリチューブを接続する冷媒配管中に設けたので、開閉弁を冷蔵庫の機械室に配置できるため、冷蔵庫の外部から開閉弁の組込みが容易にできるようになり、組立が容易な冷蔵庫を得ることができる。
【手続補正４】
【補正対象書類名】明細書
【補正対象項目名】００４９
【補正方法】変更
【補正の内容】
【００４９】
本発明の冷蔵庫は、開閉弁を、キャピラリチューブとエバポレータとを接続する冷媒配管中に設けたので、開閉弁１を設けることによる冷凍サイクルの圧力損失や流路損失を小さくでき、効率の良い冷凍サイクルおよび冷蔵庫を得ることができる。
【手続補正５】
【補正対象書類名】明細書
【補正対象項目名】００５０
【補正方法】変更
【補正の内容】
【００５０】
本発明の冷蔵庫は、冷蔵庫の負荷を検出する検出手段と、検出手段からの検出値に基づいて開閉弁を開閉する制御を行う開閉弁制御装置と、を備えたので、コンプレッサの起動失敗による冷却不足を抑制でき、信頼性の高い冷蔵庫を得ることができる。
【手続補正６】
【補正対象書類名】明細書
【補正対象項目名】００５１
【補正方法】変更
【補正の内容】
【００５１】
本発明の冷蔵庫は、冷蔵庫の負荷を検出する検出手段として、冷蔵庫外の温度を検出する外気温度検出センサを備えたので、冷蔵庫の設置されている温度環境に対応して、コンプレッサ６の入口と出口の圧力差を小さくすることができるので、起動に失敗することがなくなる。
【手続補正７】
【補正対象書類名】明細書
【補正対象項目名】００５２
【補正方法】変更
【補正の内容】
【００５２】
本発明の冷蔵庫は、冷蔵庫の負荷を検出する検出手段として、冷凍サイクルの凝縮圧力を検出する圧力センサを備えたので、コンプレッサ６の出口の圧力が大きくなってコンプレッサ６が起動に失敗することを回避できるので、庫内温度が上昇して冷却不足になるのを抑制できる。
【手続補正８】
【補正対象書類名】明細書
【補正対象項目名】００５３
【補正方法】変更
【補正の内容】
【００５３】
本発明の冷蔵庫は、冷蔵庫の負荷を検出する検出手段として、冷凍サイクルの蒸発圧力を検出する圧力センサを備えたので、圧力差が大きい条件（軸受負荷が大きく信頼性が低下し、起動も失敗する恐れのある条件）で起動することを確実に回避するでき、コンプレッサおよび冷蔵庫の信頼性を確保できる。
【手続補正９】
【補正対象書類名】明細書
【補正対象項目名】００５４
【補正方法】変更
【補正の内容】
【００５４】
本発明の冷蔵庫は、冷蔵庫の負荷を検出する検出手段として、冷蔵庫の扉の開閉を検出する扉開閉検出センサを備えたので、冷蔵庫の使用状況（庫内の負荷など）に対応して、コンプレッサの起動失敗による冷却不足を抑制でき、信頼性の高い冷蔵庫を得ることができる。
本発明の冷蔵庫は、コンデンサの出口からエバポレータの入口までの間の冷媒流路中に設けられて冷媒流路の開閉を行う開閉弁と、冷蔵庫の負荷を検出する検出手段と、検出手段からの検出値に基づいて開閉弁を開閉する制御を行う開閉弁制御装置と、を備え、冷蔵庫の負荷を検出する検出手段として、冷蔵庫外の温度を検出する外気温度検出センサを備えたので、外気温検出センサ２１の検出温度が大きい場合、コンプレッサが停止中であった場合に開閉弁を開放するするので、コンプレッサの入口と出口の圧力差が小さくなり、起動時のコンプレッサの負荷が低減される。したがって、冷蔵庫の負荷を検出する検出手段として外気温度検出センサを設けたので、冷蔵庫の設置されている温度環境に対応して、コンプレッサの入口と出口の圧力差を小さくすることができるので、起動に失敗することもなくなり、また、コンプレッサの入口と出口の圧力差が大きな条件で起動することがなくなり、コンプレッサの軸受に過大な負荷がかかる危険性を回避でき、信頼性の高い冷蔵庫を得ることができる。
本発明の冷蔵庫は、前記検出手段として、前記コンプレッサの入口側の圧力と前記コンプレッサの出口側の圧力との圧力差を使用し、前記検出した圧力差が予め記憶させている設定値よりも大きい場合には、前記コンプレッサが停止中であったに開閉弁を開放すようにしたので、冷蔵庫の設置されている温度環境に対応して、コンプレッサの入口と出口の圧力差を小さくすることができ、起動に失敗することもなくなり、また、コンプレッサ６の入口と出口の圧力差が大きな条件で起動することがなくなり、コンプレッサの軸受に過大な負荷がかかる危険性を回避でき、信頼性の高い冷蔵庫を得ることができる。